(57)【特許請求の範囲】
【請求項１】
対象物の動画の画像情報を光学的に取り込み、動画の電気信号に変換して出力する撮像装置と、
前記撮像装置から出力される前記動画の電気信号を、デジタル信号に変換する画像処理回路と、
非テープ状の記録媒体であって、前記画像処理回路においてデジタル信号に変換された動画データをファイル形式で保持するするデータ記録媒体と、
前記データ記録媒体に記録すべき前記動画データを単一画像ファイルとして記録させるための信号とともに前記単一画像ファイルを任意に区切る区切り情報を出力する録画ボタンと、
前記録画ボタンがオンされる毎に前記画像ファイルを１つのファイルとして閉じる第１のモードと、前記録画ボタンのオン及びオフ毎に前記区切り情報によるポーズのセットと解除が可能な第２のモードとを切り替えるモード設定手段と、
を有することを特徴とするデジタルビデオカメラ装置。
【請求項２】
前記データ記録媒体に記録されている動画データを再生して得られる映像を表示可能な映像表示装置と、
前記映像表示装置に、前記記録媒体に前記単一画像ファイルとして保持されている前記単一画像ファイル内で任意に与えられた前記区切り情報に基づいて前記動画データを再生した映像を表示させる出力画像制御装置と、
をさらに有することを特徴とする請求項１記載のデジタルビデオカメラ装置。
【発明の詳細な説明】
【技術分野】
【０００１】
この発明は、例えば携帯可能な映像録画装置、特に容量の大きな非テープ状の記録媒体を用いるデジタルビデオカメラ装置およびモード変更方法に関する。
【背景技術】
【０００２】
メモリカード（半導体メモリ）や、記録容量のより大きなハードディスク装置等の、非テープ状の記録媒体に動画を記録するデジタル方式のビデオカメラが、既に広く普及している。
【０００３】
非テープ状の記録媒体に動画を記録する方式のビデオカメラにおいては、テープ状記録媒体に動画を記録するデジタルビデオカメラに比較して、録画（ＲＥＣ）ボタンのオン／オフ毎に、１つのファイルができあがる点が大きな特徴である。
【０００４】
このことは、再生時のファイルアクセスにおいて、高速の頭出し等が可能になる利点がある。
【０００５】
なお、特許文献１には、光ディスクもしくはハードディスクに映像を録画する録画装置において、録画中に一時停止され、その後録画が再開された位置をチャプターの境界とする記録再生装置が開示されている。
【特許文献１】特開２００４−３６４３２５号公報
【発明の開示】
【発明が解決しようとする課題】
【０００６】
ところで、非テープ状の記録媒体を用いるデジタルビデオカメラにおいては、録画（ＲＥＣ）ボタンのオン／オフ毎に１つのファイルができあがるため、一定期間内に撮影した動画であっても、録画（ＲＥＣ）ボタンをオン／オフした回数分のファイルに区分されてしまう。
【０００７】
このことは、例えば一定期間内の撮影した動画を１つのファイルとして管理するためには、不向きである。
【０００８】
なお、特許文献１においても、上述した問題点については、考慮されていない。
【０００９】
この発明の目的は、上記問題点を解決するために、携帯可能な映像録画装置、特に容量の大きな非テープ状の記録媒体を用いるデジタルビデオカメラ装置において、一定期間内を１つのファイルとして動画を記録可能とする方法およびそれを実現可能とする装置を、提供することである。
【課題を解決するための手段】
【００１０】
この発明は、上記問題点に基づきなされたもので、対象物の動画の画像情報を光学的に取り込み、動画の電気信号に変換して出力する撮像装置と、前記撮像装置から出力される前記動画の電気信号を、デジタル信号に変換する画像処理回路と、非テープ状の記録媒体であって、前記画像処理回路においてデジタル信号に変換された動画データをファイル形式で保持するするデータ記録媒体と、前記データ記録媒体に記録すべき前記動画データを単一画像ファイルとして記録させるための信号とともに前記単一画像ファイルを任意に区切る区切り情報を出力する録画ボタンと、前記録画ボタンがオンされる毎に前記画像ファイルを１つのファイルとして閉じる第１のモードと、前記録画ボタンのオン及びオフ毎に前記区切り情報によるポーズのセットと解除が可能な第２のモードとを切り替えるモード設定手段と、を有することを特徴とするデジタルビデオカメラ装置、を提供するものである。
【発明の効果】
【００１１】
本発明によれば、動画録画時に、動画ファイルを分割保存するか、１ファイルにまとめて保存するかを選択でき、動画のファイル整理に役立つデジタルビデオカメラ装置が得られる。また、動画ファイルが分割保存されている場合においては、再生しようとする動画ファイルを容易に検索可能であり、目的のチャプターからすばやく動画を再生できる。これに伴って、携帯可能なデジタルビデオカメラにとって特に有益な消費電力の低減も可能である。
【発明を実施するための最良の形態】
【００１２】
以下、図面を参照して、この発明の実施の形態について詳細に説明する。なお、本実施の形態は、非テープ状の記録媒体、例えばメモリカード（半導体メモリ）および記録容量の大きなハードディスク装置を有するデジタルビデオカメラ装置を例に、説明する。
【００１３】
図１に示すデジタルカメラ装置１においては、レンズ１１から取り込まれた被写体像、すなわち動画（または静止画）は、例えばＣＣＤセンサである撮像素子３１の受光面に結像され、光の明暗に基づく電気信号であるアナログ信号に変換される。撮像素子（以下、ＣＣＤセンサと呼称する）３１によりアナログ信号に変換された被写体像は、アナログ−デジタル（Ａ／Ｄ）変換部１０１においてデジタル信号に変換され、信号処理部１０２に入力される。
【００１４】
信号処理部１０２では、Ａ／Ｄ変換部１０１において、被写体像がデジタル信号に変換された撮像画像データに、例えばガンマ補正、色信号分離あるいはホワイトバランス調整等の処理が施される。
【００１５】
信号処理部１０２から出力された撮像画像データは、メモリコントローラ１０３を経由して画像表示処理部１０４に供給される。画像表示処理部１０４は、詳述しないが、例えばビデオインタフェース（Video I/F）部，ＯＳＤ（On Screen Display）処理部およびビデオデコーダ（Video Decoder）部等を含み、表示出力のための画像信号すなわちビデオ信号を生成する。画像表示処理部１０４の出力は、例えばＬＣＤパネルである表示装置２１に、詳述しない液晶パネル駆動回路を介して、表示される。なお、画像表示処理部１０４の出力は、外部装置向けに、ビデオ出力（端）に出力されてもよい。
【００１６】
信号処理部１０２からの撮像画像データは、記録時には、（メモリコントローラ１０３から）画像圧縮・伸長処理部（エンコーダ・デコーダ）１０５により圧縮されて、主制御装置（ＣＰＵ）１１１による制御に従って所定の記録装置／記録媒体の記録領域に記録される。なお、画像圧縮・伸長処理部１０５においては、静止画は、例えばＪＰＥＧ規格等の、動画（非静止画）は、ＭＰＥＧ規格等の、周知の圧縮方式により圧縮される。
【００１７】
主制御装置（ＣＰＵ）１１１には、記録メディアコントローラ１２１を介して、例えば１万枚程度の静止画像あるいは記録時の圧縮率（画質）により支配されるが最大で数時間程度の動画を保持可能な大きさの記録容量のハードディスク（図示せず）が組み込まれているハードディスク装置（以下、ＨＤＤと略称する）１２２が接続されている。
【００１８】
主制御装置（ＣＰＵ）１１１にはまた、記録メディアコントローラ１２１を経由して、取り出し可能な（脱着式の）記録媒体、例えば不揮発性の半導体メモリであるカード媒体Ｍとの間で画像データの受け渡しを可能とするメモリカードスロット１２３が接続されている。なお、カード媒体Ｍとしては、例えばＳＤカード（登録商標）やmini−ＳＤ（登録商標）と呼ばれる半導体メモリや類似した規格／記録方式のさまざまな媒体が利用可能である。
【００１９】
主制御装置（ＣＰＵ）１１１にはさらに、音声入出力処理部１３１が接続され、ＣＣＤ３１により撮像された画像に対応する音声や音（非音声）である画像データ以外のデータもデジタル信号として処理可能である。なお、撮像画像と同時に（あるいは詳述しないが編集時に付加されて）取り込まれた音声／非音声は、例えばＷＡＶ，ＡＣ−３あるいは、リニアＰＣＭ等に代表される周知の記録方式により、画像データと関連付けられて所定の記録領域に保持される。
【００２０】
画像の再生時、すなわちＨＤＤ１２２に内装されているハードディスクあるいはカード媒体Ｍに保持されている画像データを表示する際には、ＨＤＤ１２２内またはカード媒体Ｍから読み出された画像データが画像圧縮・伸長処理部１０５において伸長され、メモリコントローラ１０３を通じて、画像表示処理部１０４に供給され、例えば表示装置２１に表示される。
【００２１】
なお、ＨＤＤ１２２内もしくはカード媒体Ｍに記録されている画像データを再生する際には、縮小された画像を複数表示することにより検索性（操作性）を向上させた周知の、サムネイル表示等が可能である。
【００２２】
また、再生および録画のそれぞれの機能を組み合わせた機能として、周知の編集や再生順序の入れ替え等も可能である。
【００２３】
サムネイル画像の作成や編集モードにおける編集、画像ファイルの順番の入れ替え等においては、詳述しないが、メモリコントローラ１０３に接続されたメインメモリ（メモリ回路例えばＳＤＲＡＭ）１０６あるいはバッファ（ワーク）メモリ１０７とメモリコントローラ１０３との間で画像データが転送され、例えば縮小画像が作成される。
【００２４】
なお、バッファメモリ１０７は、少なくとも１画面分の画像データを一時的に保持することができる。また、バッファメモリ１０７は、例えばＨＤＤ１２２に記録されている画像データの一部または全部をカード媒体（メモリカード）Ｍへ複製あるいは転送する際の転送速度の整合等にも利用される。また、バッファメモリ１０７に保存されている画像データ、すなわち作成された縮小画像あるいは、編集中の画像等は、画像表示処理部１０４を介して、表示装置２１に表示されるので、逐次、モニタ可能である（画像編集時の状態を確認できる）。
【００２５】
カメラ装置１はまた、編集時または撮影時には、音声入出力処理部１３１に接続されたマイク１３２あるいはオーディオ入力端（Audio In）により、音声／オーディオデータを取り込むことができる。音声／オーディオデータは、撮影された画像データすなわち画像ファイルと関連付けられ、ＨＤＤ１２２内またはカード媒体Ｍの領域に記録される。
【００２６】
画像ファイルと関連付けられて記録されている音声／オーディオデータは、画像（動画および静止画）の再生時においては、撮像した画像データに関連付けられて読み出され、音声／オーディオ出力として、スピーカ１３３またはオーディオ出力端（Audio Out）に出力される。もちろん、スピーカ１３３から出力される音声／オーディオは、消音（出力レベルを「０」と）することも可能である。
【００２７】
なお、カメラ装置１の装置本体（ボディ）には、図２（ａ）および図２（ｂ）に、その外観を示すが、上述した表示装置２１に加えて、動作モードの選択、再生／編集時の画像およびモードの選択あるいは記録（録画）の開始（オン）／停止（オフ）等に代表される制御信号を、ユーザによる操作に対応させて主制御部１１１に指示（入力）可能な操作部４１が設けられている。
【００２８】
操作部４１には、例えば録画時の録画開始および停止を指示する制御信号を入力可能なＲＥＣ（録画）ボタン４２、録画時あるいは再生時において、録画／再生／編集時の動作モードの選択や、編集時のモードの選択等への移行に用いられるＭＥＮＵ（メニュー）画面を表示するための制御コマンドの入力に利用されるＭＥＮＵボタン４３、再生／編集時の画像の選択や編集時のモードの選択等に利用されるジョグダイアル４４、ジョグダイアル４４により選択可能に規定されたモードあるいは表示切替等に対して、そのモードあるいは表示切替を確定するための制御信号を入力可能なＯＫ（決定）ボタン４５、およびレンズ１１により取り込まれる画像の倍率を連続的に切り換えるための制御信号を入力可能なズームキー４６等が設けられている。
【００２９】
ジョグダイアル４４とＯＫボタン４５により、多くの画像やタイトルの選択やさまざまなモードの設定がストレスなく処理可能である（多くの画像やタイトルを連続してサーチして特定する際に、ジョグダイアル４４のような操作性の高いスイッチが有益である）。また、ジョグダイアル４４により入力される内容（ユーザによる操作）、あるいはカメラ装置１の動作状態、もしくはＭＥＮＵボタン４３によるＭＥＮＵ画面の表示等は、主制御部すなわちＣＰＵ１１１、メモリ回路１０６、画像表示処理部１０４（および図示しないがビデオインタフェースおよびＯＳＤ処理部）等を介して合成され、ＬＣＤ（表示装置）２１に、表示される。ＣＰＵ１１１は、その情報（ＯＫボタン４５のオン）に基づいて、例えばジョグダイアル４４により選択されている画像やタイトルあるいはモードを確定し、再生あるいはモードの設定等の処理を実行する。
【００３０】
また、多くの場合、ＯＫボタン４５によりＣＰＵ１１１に入力される信号は、ボタンが押された情報（オン信号）であるが、その回数（通常は「１」）および現在の動作状態に基づくＣＰＵ１１１の判定により、例えば図示しないメインスイッチにより主電源がオンされた状態である待機状態において、ＯＫボタン４５がオンされることで録画（動画の撮影）が開始され、もう一度ＯＫボタン４５がオンされることで、録画（撮影）が中止される。
【００３１】
ＯＫボタン４５はまた、例えば表示装置２１にＭＥＮＵ画面が表示されている状態で、ジョグダイアル４４の操作により反転表示されているアイコンまたは表示バー等のＧＵＩ（Graphical User Interface）により規定される動作あるいはモードを確定するための決定信号の入力にも利用される。ジョグダイアル４４は、ＣＰＵ１１１に、その回転角と回転スピードの情報を与える。ＣＰＵ１１１は、それらの情報から、次の画像あるいはＧＵＩを表示するスピード等を制御することが可能である。
【００３２】
なお、ＯＫボタン４５は、例えばジョグダイアル４４の回転中心に同軸（同心）状に、位置される。また、ＯＫボタン４５は、概ね中心（軸方向）に向けて（ユーザから）力がかけられた（押された）場合は、上述のオン信号を入力可能で、円周上の円周を概ね４等分した４方向（一般に「上下左右」と呼称される）のいずれかに力が加えられることで、例えば表示装置２１に表示されている画像を、力が加えられている（ユーザが移動を希望する４方向のうちのいずれかの）方向に、スクロールさせる制御コマンド（指示）を入力させることができる。
【００３３】
また、ＲＥＣボタン４２およびＯＫボタン４５は、ＣＰＵ１１１にそれぞれのボタンが押された情報を（１回押される毎にオン信号を）与える。なお、ＲＥＣボタン４２およびＯＫボタン４５は、図５ないし図７を用いて以下に説明する手順に従って、その役割分担を変更可能である。
【００３４】
ところで、ＯＫボタン４５は、オンされる毎に僅かではあるが「クリック（操作）音」が発生するよう、形成されている。このことは、ジョグダイアル４４と同心円状に、且つその中心に位置されているＯＫボタン４５の操作性を高めるために有益である。これに対し、ＲＥＣボタン４２には、操作音（クリック音）が発生しない構造が与えられている。
【００３５】
このため、１つの動画ファイル内に、時間的に非連続に区切られた区切り（セクタもしくはチャプターと呼ばれることもある）を含ませる『一時停止モード』により、動画を撮影する場合においては、ＲＥＣボタン４２に『一時停止（ＰＡＵＳＥ）／ＲＥＣ（解除）』のための制御信号の入力を割り当て、ＯＫボタン４５に『ファイルクローズ（１つのファイルとしての録画終了）』のための制御信号の入力を割り当てることで、『一時停止』時に、ボタンの操作音（クリック音）が録音されることを防止できる。なお、『一時停止／一時停止モード』は、テープ状の記録媒体を用いるデジタルビデオカメラにおいては（そのデータ（ファイル）の構造上一般的であるが、非テープ状の記録媒体を用いるデジタルビデオカメラにおいては、これまでに報告されていない（発明者らによる確認では、先例が確認できていない）。
【００３６】
次に、『一時停止モード』について、説明する。
【００３７】
よく知られているように、テープ状の記録媒体を用いるデジタルビデオカメラにおいては、多くの場合、録画動作中にもう一度ＲＥＣ（録画ボタン）がオンされることで、一時停止モードが設定され、再びＲＥＣボタンがオンされることで、直前の録画データが記録された（テープ上での）位置から引き続いて画像が記録される（録画が継続される）。
【００３８】
これに対し、ハードディスクやカードメモリ等の非テープ状の記録媒体を用いるデジタルビデオカメラにおいては、通常は、録画動作中にもう一度ＲＥＣ（録画ボタン）がオンされることで、ファイルクローズ（録画終了）となり、１つのファイルが形成される。
【００３９】
このため、本実施の形態においては、ＲＥＣボタン４２に、『一時停止モード』を設定可能とし、『一時停止モード』が設定された場合には、録画動作中にＲＥＣボタン４２がオンされた場合に、録画の『一時停止（ファイルクローズしない）』を可能とし、ＲＥＣボタン４２が再びオンされることで、直前に記録された録画データに引き続いて再生可能に、動画を記録としている（動画録画中に『一時停止（ＰＡＵＳＥ）』を可能とする、以下、本実施の形態では、『録画一時停止（ＲＥＣ  ＰＡＵＳＥ）』と呼称する）。
【００４０】
なお、ファイルクローズしない一時停止状態の録画（直前に記録された録画データに引き続いて再生可能に録画データを記録する方法）は任意であり、ハードディスク装置（ＨＤＤ）１２２内のハードディスクへの動画の記録もしくはカードメモリへの動画の記録において現在利用されているさまざまな方法が適用可能であることはいうまでもない。
【００４１】
また、『一時停止モード』が設定されている場合に、録画一時停止すなわちＲＥＣボタン４２がオンされて『録画一時停止（ＲＥＣ  ＰＡＵＳＥ）』が実行された場合、１つの動画ファイルとして管理するために、時間的に非連続となるその瞬間には、当然制御信号またはフラグもしくは時刻情報が挿入され、あるいはファイル内において（データ管理上必要な）サブ（小）ファイルが規定される。このため、その制御信号またはフラグもしくは時刻情報、あるいはサブ（小）ファイルの書き出し位置（録画開始位置のアドレス情報等）を用いて区切り（セクタもしくはチャプターと呼ばれることもある）を記録する。この区切り（以下チャプターと呼称する）を用いることで、既に記録されている動画を再生する際には、一時停止毎のアドレスに従って、頭だし（個々のチャプターの先頭のデータを、所定時間毎に、もしくは一定のデータ量を単位として）再生することが可能となる。
【００４２】
図３は、上述の『録画一時停止（ＲＥＣ  ＰＡＵＳＥ）』を用いた動画撮影により記録装置内の画像データの配列を概念的に示す。
【００４３】
図３から明らかなように、『録画一時停止（ＲＥＣ  ＰＡＵＳＥ）』を用いることで、１つのファイル内に時間的に非連続な複数の区切り（チャプター）が形成される。なお、図３において、『録画一時停止』１，・・・，『録画一時停止』ｎは、『録画一時停止モード』が設定されている場合に、ＲＥＣボタン４２が（１回）オンされて）録画が一時的に中断された状態を示し、ＲＥＣボタン４２がもう一度オンされた時点で、それまでに記録されている画像データに連続して再生可能に、引き続く画像データが記録されることをしめす。また、図３において、時間軸上で最も遅い（右端の）録画停止は、一連の録画を、１つのファイルとしてファイルクローズすること（録画終了）を示す。
【００４４】
図３に示したようにファイルが形成されることにより、再生時には、図１２および図１３により後段に説明するが、任意のチャプター（区切り）を特定して、その位置（チャプター／区切り）から再生可能である。
【００４５】
次に、図４ないし図７により、『録画一時停止（ＲＥＣ  ＰＡＵＳＥ）モード』を設定する方法を説明する。なお、図４は、ビデオカメラ装置１の図示しない主電源スイッチがオンされ、詳述しないモードスイッチが「再生」にセットされることで、再生待機状態にある状態を示す表示画面（待機画面）の表示装置２１への表示例である。また、図５は、図４に示した再生待機状態において、ＭＥＮＵボタン４３がオンされることで、ＭＥＮＵ画面が表示装置２１に表示され、ユーザによるジョグダイアル４４の操作により、『録画一時停止（ＲＥＣ  ＰＡＵＳＥ）』の設定が可能な状態が選択された例を示している。
【００４６】
図５に示すように、ＭＥＮＵ画面が表示された状態で（ユーザによる）ジョグダイアル４４の操作により『ＲＥＣ  ＰＡＵＳＥ（録画一時停止）』に、カーソル表示２１−５が移動され（実際にはジョグダイアル４４が回転されることで表示される項目が上下方向に移動されることで反転表示されている部分がカーソル２１−５に相当）、ＯＫボタン４５が（ユーザにより）オンされると、『ＲＥＣ  ＰＡＵＳＥ』モードの「設定／解除（非設定）」が可能となる。なお、図５に示す表示例は、『ＲＥＣ  ＰＡＵＳＥ』モードが「非設定」である場合（製品出荷時またはユーザによる解除後）を示している。また、『ＲＥＣ  ＰＡＵＳＥ』モードの設定／解除は、『ＲＥＣ  ＰＡＵＳＥ』モードが設定されている場合において、ＲＥＣボタン４２を『ＰＡＵＳＥ（一時停止）』ボタンとして取り扱い可能とするための設定入力（ボタンの役割分担の変更）としても機能する。
【００４７】
図５に示すＭＥＮＵ画面により『ＲＥＣ  ＰＡＵＳＥ（録画一時停止）』が選択されると、図６に示すように、表示装置２１に表示されている表示例において、表示領域２１−３に、「オフ」が表示される。この場合、反転されているカーソル表示２１−５の表示領域２１−３との間の円弧状のダイアルリング表示２１−６に「オン」の制御コマンドの入力に利用される「ＲＥＣ  ＰＡＵＳＥ  ＯＮ」アイコン２１−７と「オフ」の制御コマンドの入力に利用される「ＲＥＣ  ＰＡＵＳＥ  ＯＦＦ」アイコン２１−８が表示される（図６では、ＯＦＦアイコン２１−８が押されている（「非設定」が選択されている）状態が示されている）。なお、『ＲＥＣ  ＰＡＵＳＥ』が設定されていない場合における録画時の表示画面は、図８に示すように、予め決められた位置（図８では左下）２１−１に、次にＯＫボタン４５を押した場合の動作を示すアイコン（マークあるいは画像）すなわちＳＴＯＰマークが表示される。このとき、現在の動作状態を表示する表示領域（図８では中央上）２１−２には、録画中であることを示す「○・・・赤表示」が表示される。
【００４８】
図６に示す状態で、ＯＫボタン４５がオンされることで、図７に示されるように、「ＲＥＣ  ＰＡＵＳＥ  ＯＮ」アイコン２１−７が押された状態（「ＲＥＣ  ＰＡＵＳＥ  ＯＦＦ」アイコン２１−８が戻された状態）が表示されるとともに、主制御部１１１（図１参照）の制御により、ＲＥＣボタン４２に、『ＲＥＣ  ＰＡＵＳＥ』ボタンの機能が設定される。また、表示装置２１の表示領域２１−３に表示される表示も、「オン」に変化される。なお、『ＲＥＣ  ＰＡＵＳＥ』が設定されている場合の録画時の表示画面は、図９に示すように、図８で次にＯＫボタン４５が押された（オンされた）場合における動作を示すアイコン（画像／マーク）が表示されている位置２１−１に、次にＯＫボタン４５を押した場合の動作を示すアイコン（マーク）としてＰＡＵＳＥマークが表示される。このとき、現在の動作状態を表示する表示領域２１−２には、録画中であることを示す「○・・・赤表示」が表示される。
【００４９】
図１０は、図５ないし図７により説明した『ＲＥＣ  ＰＡＵＳＥ』モードが設定されている状態における録画中に、ＲＥＣボタン（ここではＰＡＵＳＥボタンとして機能する）４２がオンされた場合に、表示装置２１に表示される表示例を示す。
【００５０】
図１０に示すように、『ＲＥＣ  ＰＡＵＳＥ』モードが設定されている状態において、録画動作中にＲＥＣボタン４２がオンされると、現在の動作状態を表示する表示領域２１−２には、ＰＡＵＳＥ（一時停止）中であることを示すマーク、例えば「細長い２本線・・・緑あるいは黄表示」が表示される。また、次にＯＫボタン４５が押された（オンされた）場合における動作を示すアイコン（画像／マーク）が表示される領域２１−１には、ＲＥＣマークが表示される。さらに、『ＲＥＣ  ＰＡＵＳＥ』モードが設定されている状態における録画動作中の表示の特徴として、例えば表示領域２１−１の右側（中央下部）に、録画停止のために次に操作すべきボタン、すなわちＯＫボタン４５をオンすることでファイルクローズによる録画停止となることを報知する停止表示マーク２１−４が、表示される。なお、ファイルクローズによる録画停止を示す表示としては、例えば図１１に示すような「待機（ＷＡＩＴ）」を意味する表示が用いられる。
【００５１】
なお、図５ないし図７により説明したＲＥＣボタン４２を『ＰＡＵＳＥ（一時停止）』ボタンとして取り扱い可能とするための設定入力は、製品出荷時またはユーザにより解除された場合には、『ＲＥＣ  ＰＡＵＳＥ』モードとともに無効であるから、『ＲＥＣ  ＰＡＵＳＥ』を必要としないユーザについては、特別に制限を与えることもない（従来通りの操作方法を希望するユーザの操作性に影響をあたえない）。
【００５２】
図１２は、図３に示したデータ（ファイル）構造により記録された動画を再生する際の表示装置の表示例を示す。
【００５３】
図４により既に説明したが、デジタルビデオカメラ装置１の詳述しないモードスイッチが「再生」にセットされ、再生待機状態にある状態を示す表示画面（待機画面）が表示されている状態で、ズームキー４６が操作される（キー４６（スイッチ）がＴ側へスライドされる）と、表示装置２１に表示されている待機画面２２１が、図１２に示すように、チャプター表示枠２２１−Ａ、チャプター番号（ＮＯ．）が表示されるチャプター番号表示領域２２１−Ｂ、および再生時間（チャプターで区切られたファイル中の連続時間）が表示される再生時間表示領域２２１−Ｃが、表示される。なお、ズームキー４６の操作に換えて、例えば表示装置２１に表示されている待機画面（図４）中の右側の矢印２１−１１及び左側の矢印２１−１２方向へのジョグダイアル４４による選択およびＯＫボタン４５のオンによる入力指示によっても、チャプター表示が可能である。
【００５４】
表示装置２１の表示がチャプター表示に切替られた場合、例えば図３に示したデータ（ファイル）構造に従って、チャプター１の先頭の画像すなわち「録画開始」の位置（通常は時刻０分００秒）の画像、チャプター２の先頭の画像すなわち「『録画一時停止』（１）」の位置（図１３に示す時刻０１分５６秒）の画像、チャプター３の先頭の画像すなわち「『録画一時停止』（２）」の位置の画像、チャプター４の先頭の画像すなわち「『録画一時停止』（３）」の位置の画像のそれぞれのサムネイル画像が、メインメモリ１０６（図１参照）またはバッファメモリ１０７（図１参照）に用意され、チャプター表示枠２２１−Ａに、チャプター番号の順に表示される。
【００５５】
例えば、図１３に例示するように、ジョグダイアル４４の操作によりチャプター２の画像が選択されて、ＯＫボタン４５がオンされると、チャプター２の先頭の画像すなわち「『録画一時停止』（１）」の画像データ（時刻０１分５６秒からの動画）が再生される。
【００５６】
なお、サムネイル画像を表示する方法およびそのための構成は、任意であり、ハードディスク１２やカードメモリＭに記録されている動画の再生方法として現在利用されているさまざまな方法が適用可能であることはいうまでもない。
【００５７】
以上説明したように、この発明の非テープ状の記録媒体を用いるデジタルビデオカメラ装置によれば、録画中に、録画一時停止機能に割り当てられているボタンが押されると、録画を停止して録画一時停止画面に移行する（録画一時停止が実行される）。この状態では、ファイルは、まだクローズされていないため、再び録画を開始すると前回の録画から引き続いて１つのファイルとして記録される。なお、録画一時停止中の画面には、録画が一時停止中であることを知らせる「録画一時停止マーク」が表示される。すなわち、非テープ状の記録媒体を用いるデジタルビデオカメラにおいて、これまでにあまり報告されていない「一時停止を含む動画の録画（１つのファイル内で、時間的に連続しない任意数の区切り（セクタもしくはチャプターと呼ばれることもある）を含む画像データの記録）」が可能である。
【００５８】
また、この発明の非テープ状の記録媒体を用いるデジタルビデオカメラ装置によれば、録画中および録画一時停止中に録画停止機能に割り当てられているボタンが押されると、録画を停止して、ファイルクローズメッセージを表示させながら動画ファイルをクローズし、モニタリング画面に移行する（１つのファイルとして時間的に非連続な任意数のサブ（小）ファイルを含む画像データの記録が終了する）。
【００５９】
なお、録画停止機能に割り当てられるボタンに、操作性を高める目的等によりクリック音（操作音）を生じるボタンが採用されているような場合においても、録画一時停止機能が割り当てられるボタンに、クリック音（操作音）を生じることのない「静音設計されたボタン」を（ユーザ設定により、任意に）割り当て可能としたことにより、録画一時停止の際に、クリック音が録音されることが防止される。
【００６０】
また、この発明の非テープ状の記録媒体を用いるデジタルビデオカメラ装置によれば、録画一時停止機能そのものを、ユーザ設定により「設定／解除（非設定）」とすることができ、録画一時停止を必要としないユーザについては、従来通りの操作方法が提供可能である。
【００６１】
なお、録画一時停止モードにおいては、録画一時停止すなわちＲＥＣボタンがオンされて『ＲＥＣ  ＰＡＵＳＥ（録画一時停止）』が実行された場合に、時間的に非連続となるその瞬間に、制御信号またはフラグもしくは時刻情報等を挿入し、あるいはファイル内において（データ管理上必要な）サブ（小）ファイルを作成することにより、共通のシーンが多数の動画ファイルにバラバラに分割されることを抑止し、１つの動画ファイルとして管理することができるため、ファイル整理や再生時の頭だし、あるいは一覧表示に有益である。
【００６２】
すなわち、録画一時停止モードにより『ＲＥＣ  ＰＡＵＳＥ』が実行された時間（全体のデータ中の任意の位置）毎に、区切り（セクタまたはチャプターと呼ばれることもある）が記録されることにより、１つの動画ファイル中にサムネイル画像を用意するための時刻（ポイント）が規定されるとともに、任意のサムネイル画像を再生開始位置として動画の再生が可能である。
【００６３】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６４】
【図１】この発明の実施の形態が適用可能な非テープ状の記録媒体を用いるデジタルビデオカメラ装置の構成の一例を示す概略ブロック図。
【図２】図１に示したカメラ装置の操作部および表示部（表示装置）を説明する概略図。
【図３】図１に示したカメラ装置において作成される画像ファイルのデータ（ファイル）構造の一例を示す概略図。
【図４】図２に示した表示装置に表示される表示例を示す概略図（再生待機画面）。
【図５】図２に示した表示装置に表示される表示例を示す概略図（ＲＥＣ  ＰＡＵＳＥボタン機能割り当てＭＥＮＵ画面）。
【図６】図２に示した表示装置に表示される表示例を示す概略図（ＲＥＣ  ＰＡＵＳＥボタン機能「非設定（解除）」状態画面）。
【図７】図２に示した表示装置に表示される表示例を示す概略図（ＲＥＣ  ＰＡＵＳＥボタン機能「設定」状態画面）。
【図８】図２に示した表示装置に表示される表示例を示す概略図（「ＲＥＣ  ＰＡＵＳＥ」モード「非設定（解除）」時、録画状態画面）。
【図９】図２に示した表示装置に表示される表示例を示す概略図（「ＲＥＣ  ＰＡＵＳＥ」モード「設定」時、録画状態画面）。
【図１０】図２に示した表示装置に表示される表示例を示す概略図（「ＲＥＣ  ＰＡＵＳＥ」モード「設定」時、録画一時停止状態画面）。
【図１１】図２に示した表示装置に表示される表示例を示す概略図（「ＲＥＣ  ＰＡＵＳＥ」モード「設定」時、録画停止（ファイルクローズ）中画面）。
【図１２】図２に示した表示装置に表示される表示例を示す概略図（「ＲＥＣ  ＰＡＵＳＥ」モード「設定」時に録画された画像データのチャプター再生入力画面）。
【図１３】図２に示した表示装置に表示される表示例を示す概略図（「ＲＥＣ  ＰＡＵＳＥ」モード「設定」時に録画された画像データのチャプター再生時、チャプター選択画面）。
【符号の説明】
【００６５】
１…カメラ装置（閲覧装置）、１１…レンズ、２１…表示装置、２１−１…「次の動作表示」表示領域、２１−２…「現在の動作表示」表示領域、２１−３…「ＲＥＣ  ＰＡＵＳＥ表示」表示領域、２１−４…「停止表示マーク表示」表示領域、２１−５…「カーソル表示」表示領域、２１−６…「ダイアルリング表示」表示領域、２１−７…「『ＲＥＣ  ＰＡＵＳＥ  ＯＮ』アイコン表示」表示領域、２１−８…「『ＲＥＣ  ＰＡＵＳＥ  ＯＦＦ』アイコン表示」表示領域、４１…操作部、４２…ＲＥＣボタン、４３…ＭＥＮＵボタン、４４…ジョグダイアル、４５…０Ｋボタン、４６…ズームキー、１０３…メモリコントローラ、１０４…画像表示処理部、１０５…画像圧縮・伸長処理部、１０６…メインメモリ、１０７…バッファメモリ、１１１…主制御部（制御装置）、１２１…記録メディアインタフェース、１２２…ＨＤＤ（ハードディスク装置）、１２３…カードスロット、Ｍ…メモリカード（半導体メモリ）。
【図１】
0004488989.tif 000002
【図２】
0004488989.tif 000003
【図３】
0004488989.tif 000004
【図４】
0004488989.tif 000005
【図５】
0004488989.tif 000006
【図６】
0004488989.tif 000007
【図７】
0004488989.tif 000008
【図８】
0004488989.tif 000009
【図９】
0004488989.tif 000010
【図１０】
0004488989.tif 000011
【図１１】
0004488989.tif 000012
【図１２】
0004488989.tif 000013
【図１３】
0004488989.tif 000014